【事件の表示】
　特許第６６６０５４２号発明「テキスタイル用ストレッチャブル導電性フィルム」の特許異議申立事件について、次のとおり決定する。
【結　論】
　特許第６６６０５４２号の特許請求の範囲を訂正請求書に添付された訂正特許請求の範囲のとおり、訂正後の請求項〔１〕〔２〕〔３〕〔４〕〔５〜７〕〔８〕〔９〕〔１０〕〔１１〜１５〕〔１６〕〔１７〕〔１８〕について訂正することを認める。
　特許第６６６０５４２号の請求項２、４に係る特許を取り消す。
　特許第６６６０５４２号の請求項１、３に係る特許についての特許異議の申立てを却下する。
【理　由】
　特許第６６６０５４２号の請求項２、４に係る発明は、訂正請求書に添付された訂正特許請求の範囲の請求項２、４に記載された事項により特定されるとおりのものである。
　これに対して、令和３年３月３１日に取消理由（決定の予告）を通知し、期間を指定して意見書を提出する機会を与えたが、特許権者は応答しなかった。
　そして、上記の取消理由（決定の予告）は妥当なものと認められるので、本件請求項２、４に係る特許は、この取消理由によって取り消すべきものである。
　訂正前の請求項１、３は訂正により削除されたため、請求項１、３についての特許異議の申立ては、不適法なものであり、その補正をすることができないから、特許法第１２０条の８第１項で準用する同法第１３５条の規定により却下すべきものである。
　よって、結論のとおり決定する。
【異議決定日】
令和３年７月２１日（２０２１．７．２１）
【訂正の要旨】
審決（決定）の【理由】欄参照。
（５７）【特許請求の範囲】
　【請求項１】
　
（削除）
　【請求項２】
　伸縮性を有するストレッチャブル導電層と、
　前記ストレッチャブル導電層の一表面に形成され
かつ前記ストレッチャブル導電層をテキスタイル生地に貼り付けるための
　前記ストレッチャブル導電層における前記ホットメルト接着剤層側とは反対側の表面に形成された第１剥離フィルムと、
　前記ホットメルト接着剤層における前記ストレッチャブル導電層側とは反対側の表面に形成された第２剥離フィルムとを含み、
　前記ストレッチャブル導電層は、エラストマーと、前記エラストマー中に充填されている導電性フィラーとを含む導電性組成物から構成されている、テキスタイル用ストレッチャブル導電性フィルム。
　【請求項３】
　
（削除）
　【請求項４】
　伸縮性を有するストレッチャブル導電層と、
　前記ストレッチャブル導電層の一表面に形成され
かつ前記ストレッチャブル導電層をテキスタイル生地に貼り付けるための
　前記ストレッチャブル導電層における前記ホットメルト接着剤層側とは反対側の表面の少なくとも一部に形成された伸縮性を有するストレッチャブル保護層と、
　前記ストレッチャブル導電層における前記ホットメルト接着剤層側とは反対側の表面側に、前記ストレッチャブル保護層を覆うように形成された第１剥離フィルムと、
　前記ホットメルト接着剤層における前記ストレッチャブル導電層側とは反対側の表面に形成された第２剥離フィルムとを含み、
　前記ストレッチャブル導電層は、エラストマーと、前記エラストマー中に充填されている導電性フィラーとを含む導電性組成物から構成されている、テキスタイル用ストレッチャブル導電性フィルム。
　【請求項５】
　
伸縮性を有するストレッチャブル導電層と、
　
前記ストレッチャブル導電層の一表面に形成されたホットメルト接着剤層と、
　
前記ホットメルト接着剤層における前記ストレッチャブル導電層側とは反対側の表面に形成された剥離フィルムとを含み、
　
前記ストレッチャブル導電層は、エラストマーと、前記エラストマー中に充填されている導電性フィラーとを含む導電性組成物から構成されており、
　前記導電性フィラーがデンドライト状である
、テ
　【請求項６】
　前記導電性フィラーがデンドライト状の銀粉である、請求項５に記載の
テキスタイル用ストレッチャブル導電性フィルム
　【請求項７】
　前記導電性フィラーが、デンドライト状の銅粉に銀がコーティングされた、銀コート銅粉である、請求項５に記載の
テキスタイル用ストレッチャブル導電性フィルム
　【請求項８】
　
伸縮性を有するストレッチャブル導電層と、
　
前記ストレッチャブル導電層の一表面に形成されたホットメルト接着剤層と、
　
前記ホットメルト接着剤層における前記ストレッチャブル導電層側とは反対側の表面に形成された剥離フィルムとを含み、
　
前記ストレッチャブル導電層は、エラストマーと、前記エラストマー中に充填されている導電性フィラーとを含む導電性組成物から構成されており、
　前記導電性フィラーがコイル形状である
、テ
　【請求項９】
　伸縮性を有するストレッチャブル導電層と、
　前記ストレッチャブル導電層の一表面に形成されたホットメルト接着剤層とを含み、
　前記ストレッチャブル導電層は、エラストマーと、前記エラストマー中に充填されている導電性フィラーとを含む導電性組成物から構成されており、
　前記導電性フィラーがコイル形状である、テキスタイル用ストレッチャブル導電性フィルム。
　【請求項１０】
　伸縮性を有するストレッチャブル導電層と、
　前記ストレッチャブル導電層の一表面に形成されたホットメルト接着剤層と、
　前記ストレッチャブル導電層における前記ホットメルト接着剤層側とは反対側の表面の少なくとも一部に形成された伸縮性を有するストレッチャブル保護層とを含み、
　前記ストレッチャブル導電層は、エラストマーと、前記エラストマー中に充填されている導電性フィラーとを含む導電性組成物から構成されており、
　前記導電性フィラーがコイル形状である、テキスタイル用ストレッチャブル導電性フィルム。
　【請求項１１】
　
伸縮性を有するストレッチャブル導電層と、
　
前記ストレッチャブル導電層の一表面に形成されたホットメルト接着剤層と、
　
前記ストレッチャブル導電層における前記ホットメルト接着剤層側とは反対側の表面に形成された第１剥離フィルムと、
　
前記ホットメルト接着剤層における前記ストレッチャブル導電層側とは反対側の表面に形成された第２剥離フィルムとを含み、
　
前記ストレッチャブル導電層は、エラストマーと、前記エラストマー中に充填されている導電性フィラーとを含む導電性組成物から構成されており、
　
前記導電性フィラーがデンドライト状である、テキスタイル用ストレッチャブル導電性フィルム。
　【請求項１２】
　
伸縮性を有するストレッチャブル導電層と、
　
前記ストレッチャブル導電層の一表面に形成されたホットメルト接着剤層と、
　
前記ホットメルト接着剤層における前記ストレッチャブル導電層側とは反対側の表面に形成された剥離フィルムと、
　
前記ストレッチャブル導電層における前記ホットメルト接着剤層側とは反対側の表面の少なくとも一部に形成された伸縮性を有するストレッチャブル保護層とを含み、
　
前記ストレッチャブル導電層は、エラストマーと、前記エラストマー中に充填されている導電性フィラーとを含む導電性組成物から構成されており、
　
前記導電性フィラーがデンドライト状である、テキスタイル用ストレッチャブル導電性フィルム。
　【請求項１３】
　
伸縮性を有するストレッチャブル導電層と、
　
前記ストレッチャブル導電層の一表面に形成されたホットメルト接着剤層と、
　
前記ストレッチャブル導電層における前記ホットメルト接着剤層側とは反対側の表面の少なくとも一部に形成された伸縮性を有するストレッチャブル保護層と、
　
前記ストレッチャブル導電層における前記ホットメルト接着剤層側とは反対側の表面側に、前記ストレッチャブル保護層を覆うように形成された第１剥離フィルムと、
　
前記ホットメルト接着剤層における前記ストレッチャブル導電層側とは反対側の表面に形成された第２剥離フィルムとを含み、
　
前記ストレッチャブル導電層は、エラストマーと、前記エラストマー中に充填されている導電性フィラーとを含む導電性組成物から構成されており、
　
前記導電性フィラーがデンドライト状である、テキスタイル用ストレッチャブル導電性フィルム。
　【請求項１４】
　
前記導電性フィラーがデンドライト状の銀粉である、請求項１１〜１３のいずれか一項に記載のテキスタイル用ストレッチャブル導電性フィルム。
　【請求項１５】
　
前記導電性フィラーが、デンドライト状の銅粉に銀がコーティングされた、銀コート銅粉である、請求項１１〜１３のいずれか一項に記載のテキスタイル用ストレッチャブル導電性フィルム。
　【請求項１６】
　
伸縮性を有するストレッチャブル導電層と、
　
前記ストレッチャブル導電層の一表面に形成されたホットメルト接着剤層と、
　
前記ストレッチャブル導電層における前記ホットメルト接着剤層側とは反対側の表面に形成された第１剥離フィルムと、
　
前記ホットメルト接着剤層における前記ストレッチャブル導電層側とは反対側の表面に形成された第２剥離フィルムとを含み、
　
前記ストレッチャブル導電層は、エラストマーと、前記エラストマー中に充填されている導電性フィラーとを含む導電性組成物から構成されており、
　
前記導電性フィラーがコイル形状である、テキスタイル用ストレッチャブル導電性フィルム。
　【請求項１７】
　
伸縮性を有するストレッチャブル導電層と、
　
前記ストレッチャブル導電層の一表面に形成されたホットメルト接着剤層と、
　
前記ホットメルト接着剤層における前記ストレッチャブル導電層側とは反対側の表面に形成された剥離フィルムと、
　
前記ストレッチャブル導電層における前記ホットメルト接着剤層側とは反対側の表面の少なくとも一部に形成された伸縮性を有するストレッチャブル保護層とを含み、
　
前記ストレッチャブル導電層は、エラストマーと、前記エラストマー中に充填されている導電性フィラーとを含む導電性組成物から構成されており、
　
前記導電性フィラーがコイル形状である、テキスタイル用ストレッチャブル導電性フィルム。
　【請求項１８】
　
伸縮性を有するストレッチャブル導電層と、
　
前記ストレッチャブル導電層の一表面に形成されたホットメルト接着剤層と、
　
前記ストレッチャブル導電層における前記ホットメルト接着剤層側とは反対側の表面の少なくとも一部に形成された伸縮性を有するストレッチャブル保護層と、
　
前記ストレッチャブル導電層における前記ホットメルト接着剤層側とは反対側の表面側に、前記ストレッチャブル保護層を覆うように形成された第１剥離フィルムと、
　
前記ホットメルト接着剤層における前記ストレッチャブル導電層側とは反対側の表面に形成された第２剥離フィルムとを含み、
　
前記ストレッチャブル導電層は、エラストマーと、前記エラストマー中に充填されている導電性フィラーとを含む導電性組成物から構成されており、
　
前記導電性フィラーがコイル形状である、テキスタイル用ストレッチャブル導電性フィルム。